(57)【要約】【課題】  ルーバーを取り付けるための部材を新たに設けることなく、ルーバーの着脱作業を容易に行える照明器具を提供する。【解決手段】  照明器具は、下面が開口し内部の上面側にランプ点灯用の電子部品ブロックＢＫが設けられた器具本体１と、電子部品ブロックＢＫを覆うように器具本体１に設けられる遮蔽板２と、遮蔽板２より器具本体１の下面側に配置され両端方向を長手方向とするランプＬａの長手方向と直交し、且つ、前記長手方向に所定間隔で複数配置される遮光板３１ａを有してランプＬａより器具本体１の下面側に配置されるルーバー３とを備え、該ルーバー３は、弾性を有する取付部３３を有し、該取付部３３を用いて遮蔽板２に着脱自在に弾性係止されている。【選択図】図１
2006269129.tif 000002
【特許請求の範囲】
【請求項１】
一面が開口し他面側にランプ点灯用の電子部品が設けられた器具本体と、電子部品を覆うように器具本体に設けられる遮蔽板と、遮蔽板より器具本体の一面側に配置される両端方向を長手方向とするランプの長手方向と直交し、且つ、前記長手方向に所定間隔で複数配置される遮光板を有して前記ランプより器具本体の一面側に配置されるルーバーとを備え、該ルーバーは、弾性を有する取付部を具備し、該取付部を用いて遮蔽板に着脱自在に弾性係止されていることを特徴とする照明器具。
【請求項２】
取付部はルーバーの前記長手方向の一端側に設けられ、前記長手方向の他端側には、遮蔽板に当接することでルーバーの前記長手方向における位置決めを行う位置決め部が設けられていることを特徴とする請求項１に記載の照明器具。
【請求項３】
ルーバーは、前記位置決め部により、前記長手方向に直交する方向に位置決めされていることを特徴とする請求項２に記載の照明器具。
【請求項４】
ルーバーは、位置決め部を遮蔽板に当接させた後に、取付部を用いて遮蔽板に弾性係止されていることを特徴とする請求項３に記載の照明器具。
【請求項５】
ルーバの前記長手方向一端側の遮光板と他端側の遮光板とは、形状が異なっていることを特徴とする請求項１乃至４のいずれか１項に記載の照明器具。
【発明の詳細な説明】
【技術分野】
【０００１】
本発明は、照明器具に関する。
【背景技術】
【０００２】
従来から、直管型蛍光ランプ等のランプを用いた照明器具に、ランプのグレア（眩しさ）の低減や、ランプを直視した際の視覚低下を防止するために、ルーバーを設けることが行われている（たとえば特許文献１）。
【０００３】
このような照明器具としては、図５に示すように、下面が開口した器具本体１００と、器具本体１００内に設けられ直管型の蛍光ランプＬ１を点灯させる安定器１０１と、蛍光ランプＬ１の光を器具本体１００の下面側へ反射するＶ字型反射板１０２ａ、及びＶ字型反射板１０２ａに固定されて器具本体１００の開口に格子状に配置される遮光板１０２ｂからなるルーバー１０２とを備えたものが提供され、この照明器具では、ルーバー１０２を器具本体１００に取り付けるために、ルーバー１０２のＶ字型反射板１０２ａを係止するバネ部材１０３，１０３を設けるとともに、ルーバー１０２を仮吊りひも１０４，１０４により器具本体１００に連結している。
【０００４】
また、図６に示すように、下面が開口した器具本体２００と、器具本体２００内に設けられ片持型蛍光ランプＬ２が装着されるソケット２０１と、ソケット２０１と電気的に接続され蛍光ランプＬ２を点灯させる安定器（図示せず）と、安定器を覆って器具本体２００に取り付けられる化粧板２０２と、略コ字状のルーバー２０４と、器具本体２００の開口２００ａを覆うようにして器具本体２００に取り付けられるグローブ２０５とを備え、ルーバー２０４を器具本体２００に設けたねじ孔２００ｂ，２００ｂに取付ねじ２０３，２０３を螺着することにより取り付けているものが提供されている。
【特許文献１】特開平１０−７４４１７号公報（第１図）
【発明の開示】
【発明が解決しようとする課題】
【０００５】
しかしながら、前者の照明器具では、ルーバー１０２を器具本体１００に取り付けるために、ルーバー１０２を取り付けるための部材であるバネ部材１０３，１０３を器具本体１００に設けているので、ルーバー１０２を使用しない場合には、バネ部材１０３，１０３が不要となるから、このようなバネ部材１０３，１０３は構造上無駄となり、しかも邪魔になるという問題があった。
【０００６】
一方、後者の照明器具では、器具本体２００にねじ孔２００ｂ，２００ｂを形成してルーバー２０４を取付ねじ２０３，２０３により取り付けるようにしているので、上記のバネ部材１０３のようなルーバー２０４を取り付けるための部材を新たに設ける必要がなくなり、これにより上記の問題はある程度解決できていた。
【０００７】
ところが、このような照明器具は一般的に高所に配置されるので、蛍光ランプＬ２の交換時等にルーバー２０４を着脱する際には、高所でドライバー等の取付用の工具を用いて取付ねじ２０３，２０３の取り付け作業を行わなくてはならなず、そのため、ルーバー２０４の着脱作業は、非常に作業性が悪く面倒であるという問題が新たに生じていた。
【０００８】
本発明は上述の点に鑑みて為されたもので、その目的は、ルーバーを取り付けるための部材を新たに設けることなく、ルーバーの着脱作業を容易に行える照明器具を提供することである。
【課題を解決するための手段】
【０００９】
上記の課題を解決するために、請求項１の照明器具では、一面が開口し他面側にランプ点灯用の電子部品が設けられた器具本体と、電子部品を覆うように器具本体に設けられる遮蔽板と、遮蔽板より器具本体の一面側に配置される両端方向を長手方向とするランプの長手方向と直交し、且つ、前記長手方向に所定間隔で複数配置される遮光板を有して前記ランプより器具本体の一面側に配置されるルーバーとを備え、該ルーバーは、弾性を有する取付部を具備し、該取付部を用いて遮蔽板に着脱自在に弾性係止されていることを特徴とする。
【００１０】
請求項１の発明によれば、器具本体に設けられる遮蔽板にルーバーを取り付けるようにしているから、ルーバーを取り付けるための部材を新たに設ける必要がなくなり、これにより、ルーバーを取り外して使用する際に構造上無駄となる部材を無くすことができる。また、ルーバーは取付部によって遮蔽板に着脱自在に弾性係止されているから、ルーバーの着脱時に取付用の工具等を用いる必要がなくなり、これにより、ルーバーの着脱作業を容易に行うことができる。
【００１１】
請求項２の照明器具では、請求項１の構成に加えて、取付部はルーバーの前記長手方向の一端側に設けられ、前記長手方向の他端側には、遮蔽板に当接することでルーバーの前記長手方向における位置決めを行う位置決め部が設けられていることを特徴とする。
【００１２】
請求項２の発明によれば、位置決め部によりルーバーをランプの長手方向において位置決めすることができるから、ルーバーを所望の位置に配置することができる。
【００１３】
請求項３の照明器具では、請求項２の構成に加えて、ルーバーは、前記位置決め部により、前記長手方向に直交する方向に位置決めされていることを特徴とする。
【００１４】
請求項３の発明によれば、位置決め部によってルーバーをランプの長手方向だけでなく、長手方向に直交する方向においても位置決めすることができるから、ルーバーを所望の位置に配置することができ、しかも、ルーバーのがたつきを防止できるようになる。
【００１５】
請求項４の照明器具では、請求項３の構成に加えて、ルーバーは、位置決め部を遮蔽板に当接させた後に、取付部を用いて遮蔽板に弾性係止されていることを特徴とする。
【００１６】
請求項４の発明によれば、高所で作業する際にも、手間をかけることなく短時間で容易に取りつけることができる。
【００１７】
請求項５の照明器具では、請求項１乃至４のいずれか１項の構成に加えて、ルーバの前記長手方向一端側の遮光板と他端側の遮光板とは、形状が異なっていることを特徴とする。
【００１８】
請求項５の発明によれば、遮光板の形状を異ならせることによって、様々な光環境に対応することでき、これにより、所望の配光分布を得ることができる。
【発明の効果】
【００１９】
本発明は、器具本体に設けられる遮蔽板にルーバーを取り付けるようにしているから、ルーバーを取り付けるための部材を器具本体に新たに設ける必要がなくなり、しかも、ルーバーは取付部にて遮蔽板に着脱自在に弾性係止されているから、ルーバーの着脱作業を容易に行うことができるという効果がある。
【発明を実施するための最良の形態】
【００２０】
以下に、図１〜４を参照して本発明の一実施形態について説明する。
【００２１】
本実施形態の照明器具は、たとえば、屋外に設けられる街路灯として利用されるものであり、図１に示すように、下面（一面）が開口し内部の上面（他面）側にランプ点灯用の電子部品ブロックＢＫが設けられた器具本体１と、電子部品ブロックＢＫを覆うように器具本体１に設けられる遮蔽板２と、遮蔽板２より器具本体１の下面側に配置される両端方向を長手方向とするランプＬａの長手方向と直交し、且つ、前記長手方向に所定間隔で複数配置される遮光板３１ａを有してランプＬａより器具本体１の一面側に配置されるルーバー３と、器具本体１の開口１ａを覆うグローブ４とを備え、該ルーバー３は、弾性を有する取付部３３を有し、該取付部３３を用いて遮蔽板２に着脱自在に弾性係止されている。
【００２２】
器具本体１は、図２（ａ）に示すように、内殻部１０と、この内殻部１０に被着される外殻部１１とで構成されている。内殻部１０は、アルミ材等から下面が開口した長尺の箱状に形成されており、この内殻部１０の基端側（図２（ａ）における左端側）には、後述するワイヤ７（図３参照）が取り付けられる取付板１２が設けられている。外殻部１１は、たとえば、下面が開口した長尺の箱状に形成されており、内殻部１０の上面を覆うようにして内殻部１０に被着される。この外殻部１１は、先端側（図２（ａ）における右端側）となる長手方向一端側にグローブ４を取り付けるための取付ねじ（図示せず）が螺着されるねじ孔（図示せず）を有しグローブ４を器具本体１の短手方向を回転軸として回動自在に支持するヒンジ等の支持機構（図示せず）を備えるとともに、基端側（図２（ａ）における左端側）となる長手方向他端側に弾性を有する係止片１３を備え、この係止片１３には、係止孔１３ａが形成されている。また、外殻部１１の基端側には、アーム５が取り付けられており、このアーム５は、器具本体１を平坦な壁面や、ボール等の曲面に取り付けるために用いられ、たとえば、だるま孔５ａやねじ挿通孔５ｂ等が穿設された板状に形成されている。
【００２３】
この器具本体１に設けられるランプ点灯用の電子部品ブロックＢＫは、ランプＬａが装着されるソケット、及び、ソケットに電気的に接続されるとともに、器具本体１内に引き込まれた外部電源の電源線が電気的に接続され、ランプＬａを点灯させる安定器等を備えて、図１に示すように、器具本体１内の上面側に配設されている。
【００２４】
遮蔽板２は、図１，２に示すように、たとえば長尺状の金属板から曲成され、長尺状の平板部２０と、平板部２０の短手方向両縁部から上方へ延設された側板部２１，２１とを一体に備えており、器具本体１内の上面側に電子部品ブロックＢＫを覆うようにして取り付けられる。つまり、この遮蔽板２は、電子部品ブロックＢＫを見えないように隠蔽するためのものであり、電子部品ブロックＢＫを隠蔽することにより照明器具の美観を向上させる、いわゆる化粧板としての役割を有している。また、この遮蔽板２の表面は、たとえば、反射材（図示せず）で塗装されてランプＬａからの光を下方（器具本体１の開口１ａ側）へ反射する反射面となっており、これにより、遮蔽板２は反射板としての役割も有している。尚、遮蔽板２には、電子部品ブロックＢＫのソケット（図示せず）を遮蔽板２の下面側に突出させるための孔部（図示せず）が形成されており、この孔部から突出させたソケットにランプＬａが装着されることで、ランプＬａが遮蔽板２より器具本体１の下面側に配置されることになる。
【００２５】
ルーバー３は、図２（ｂ）に示すように、少なくとも遮蔽板２の平板部２０の短手方向の長さ寸法を越える程度の距離を隔てて互いに並行配置される一対の長片部３０，３０と、両長片部３０，３０間に亘るように取り付けられる複数の遮光部３１及び補強部３２と、各長片部３０の先端側となる長手方向一端側に取り付けられ、遮蔽板２をその短手方向で弾性狭持する一対の取付部３３，３３とを有している。
【００２６】
ここで、長片部３０は、たとえば金属板等から曲成され、長尺状の側片３０ａと、側片３０ａの先端側の下端縁から互いに近接する方向へ延設された遮光部３１取り付け用の取付片３０ｂとを一体に備えている。また、各側片３０ａの基端側の端部は、先端側且つ互いに近接する方向に折り返されて爪部３０ｃが形成されており、この爪部３０ｃがルーバー３をランプＬａの長手方向において位置決めする位置決め部となっている。つまり、この爪部３０ｃを遮蔽板２の側板部２１の長手方向他端側の縁部に当接させることで、ランプＬａの長手方向においてルーバー３の位置決めを行うことができる。したがって、爪部３０ｃを形成する位置を調整することによりルーバー３をランプＬａの長手方向において所望の位置に配置することが可能となる。また、爪部３０ｃの下端縁を遮蔽板２の平板部２０の上面に当接させるようにすれば、ルーバー３をランプＬａの長手方向だけでなく、長手方向に直交する上下方向においても位置決めすることができるから、爪部３０ｃの上下方向の厚みを調整することでルーバー３を上下方向において所望の位置に配置することができ、しかも、長手方向と上下方向とでルーバー３の位置決めを行えるから、ルーバー３のがたつきを防止できるようになる。
【００２７】
遮光部３１は、たとえば略環形の枠状に形成された金属板から曲成され、互いに対向するように配置される一対の略円弧状の遮光板３１ａ，３１ａと、遮光板３１ａ，３１ａの両端部をそれぞれ連結する帯状の一対の連結部３１ｂ，３１ｂとを一体に備え、各連結部３１ｂ，３１ｂを、長片部３０，３０の取付片３０ｂ，３０ｂの下面側にそれぞれ固着することで、長片部３０，３０間に亘るように取り付けられている。
【００２８】
補強部３２は、たとえば、帯状の金属板から略コ字状に曲成され、互いに並行する一対の脚部３２ａ，３２ａと、脚部３２ａ，３２ａの下端部を連結する連結部３２ｂとを一体に備え、各脚部３２ａを長片部３０，３０にそれぞれ固着することで、長片部３０，３０間に亘るように取り付けられている。
【００２９】
取付部３３は、たとえば、弾性を有する金属板から曲成され、平板状の固着片３３ａと、固着片３３ａの上端縁から延設された略く字状の弾接片３３ｂとを一体に備えている。取付部３３は、固着片３３ａを長片部３０の側片３０ａに固着することで長片部３０に取り付けられるのであるが、ここで、各長片部３０に取り付けられた取付部３３は、弾接片３３ｂが長片部３０から上方へ突出するとともに互いに対向するようにして取り付けられる。尚、ルーバー３の取付部３３，３３は、少なくとも一方が弾性を有していれば良い。
【００３０】
グローブ４は、開口１ａを覆うようにして器具本体１に取り付けられるものであり、たとえば、透光性樹脂を用いて上面が開口した長尺の箱状に形成されている。このグローブ４の先端側となる長手方向一端側には、上記の取付ねじ（図示せず）が挿通されるねじ挿通孔４ａが形成され、基端側となる長手方向他端側には、器具本体１の係止片１３に形成された係止孔１３ａに挿入される突起状の被係止部４ｂが一体に形成されている。
【００３１】
上記の部材により照明器具は構成されており、各部材は次のようにして取り付けられている。器具本体１内の上面側には、図１に示すように、電子部品ブロックＢＫが配設され、この電子部品ブロックＢＫを覆うように遮蔽板２がねじ止め等によって器具本体１に取り付けられる。この後に、ルーバー３は、基端側に設けた爪部３０ｃ，３０ｃを図３（ｂ）に示すように、遮蔽板２の側板部２１，２１の長手方向他端側の縁部にそれぞれ引掛けて当接させてから、ルーバー３を器具本体１側へ押し込んで取付部３３，３３を遮蔽板２の側板部２１，２１の外側面にそれぞれ弾接させて取付部３３，３３にて遮蔽板２を弾性狭持することにより、遮蔽板２に弾性係止される。このようにルーバー３を位置合わせしてから取り付けることで、片手でルーバー３の取り付けを行え、高所で作業する際にも、手間をかけることなく短時間で容易に取り付けることができる。
【００３２】
そして、ルーバー３が取り付けられた際には、ルーバー３の長片部３０，３０がそれぞれ遮蔽板２の両側板部２１の外側面に対向配置され、また、各遮光部３１と遮蔽板２の平板部２０とで囲繞される空間部がランプＬａ配置用のスペースとなり、これにより、遮光部３１の遮光板３１ａが、ランプＬａの長手方向と直交し、且つ、前記長手方向に所定間隔で複数（本実施形態では１８）配置されることになる。
【００３３】
また、ルーバー３の補強部３２と器具本体１の取付板１２とは仮吊り用のワイヤ７を用いて連結されており、これにより、ルーバー３を器具本体１に吊り下げることができるようにしている。尚、このワイヤ７の取り付けはルーバー３の遮蔽板２への取り付けより前であっても構わない。そして、グローブ４の先端側に設けたねじ挿通孔４ａに挿通させた取付ねじ（図示せず）を器具本体１の支持機構（図示せず）に設けたねじ孔（図示せず）に螺着するとともに、グローブ４の基端側に設けた被係止部４ｂを器具本体１の係止片１３の係止孔１３ａに挿入して係止片１３で被係止部４ｂを係止することでグローブ４が器具本体１に取り付けられる。
【００３４】
以上により、図１，２に示す照明器具が得られ、次に、照明器具へのランプＬａの着脱方法について説明する。まず、ランプＬａを取り付ける際には、係止部１３をグローブ４から離間する方向へ撓ませて係止部１３とグローブ４の被係止部４ｂとの係止状態を解除し、この後に、図１に示すように、グローブ４を回動させて、器具本体１内を露出させる。次に、ルーバー３を遮蔽板２から取り外すのであるが、この取り外しは、ルーバー３を下方へ引き出して、取付部３３，３３と遮蔽板２との弾接状態を解除することにより行うことができるため、取付用の工具等を用いる必要がない。また、遮蔽板２から取り外されたルーバー３はワイヤ７により器具本体１に吊り下げられるため、ルーバー３をわざわざ他の場所に仮置きせずに済む。そして、この状態でランプＬａを図示しないソケットに装着することで、ランプＬａが遮蔽板２より器具本体１の下面側に配置され、この後にルーバー３を遮蔽板２に弾性係止し、グローブ４を回動させてグローブ４の被係止部４ｂを器具本体１の係止片１３に係止させることで、ランプＬａの取り付けが行われる。一方、ランプＬａを取り外す際には、上記の手順を逆に行えばよいから、同様に、取付用の工具等を用いなくてもランプＬａの取り外しを行うことができる。
【００３５】
つまり、本実施形態の照明器具によれば、器具本体１に設けられる遮蔽板２にルーバー３を取り付けるようにしているから、上述の図５に示す従来例のようにルーバー３を取り付けるための部材を器具本体１に新たに設ける必要がなくなる。しかも、ルーバー３は取付部３３によって遮蔽板２に着脱自在に弾性係止されているから、ルーバー３の着脱時に上述の図６に示す従来例のようにドライバ等の取付用の工具等を用いる必要がなくなり、これにより、ルーバー３の着脱作業を容易に行うことができる。
【００３６】
また、ワイヤ７により器具本体１とルーバー３とを連結しているので、照明器具のメンテナンス作業時や、ランプＬａの交換作業時等に、遮蔽板２からルーバー３を取り外した際に、ワイヤ７によりルーバー３を器具本体１に吊り下げることができるから、遮蔽板２から取り外したルーバー３を別の場所に仮置きしなくて済み（特に、高所での作業中には、ルーバー３を仮置きする場所の確保が困難である）、メンテナンス作業やランプの交換作業等を容易に行うことができる。加えて、ワイヤ７でルーバー３と器具本体１とが連結されているので、ルーバー３を取り外した際に不意にルーバー３から手を離してしまっても、ルーバー３が落下することがなくなるという利点もある。
【００３７】
ところで、本実施形態のルーバー３の遮光板３１ａは、図２（ｂ）に示すように、ルーバー３の先端側に配置されるものよりも基端側に配置されるものの方が上下方向の厚み寸法が大きくなるように設定してあり、このように遮光板３１ａの形状を適宜変更することによって、様々な光環境に対応して所望の配光分布を得ることができる。尚、このような遮光板３１ａの形状は、上記の円弧状のものに限られるものではなく、状況に応じて好適な形状とすることができるのは勿論である。また、爪部３０ｃと取付部３３の形成位置も上記の位置に限られるものではなく、ルーバー３の先端側に爪部３０ｃを設け、基端側に取付部３３を設けるようにしても同様の効果を得ることができる。
【００３８】
さらに、ルーバー３の形状は図２（ｂ）に示すものに限られるものではなく、たとえば図４に示すようにしてもよい。このルーバー３’は、図４に示すように、少なくとも遮蔽板２の短手方向の長さ寸法を越える程度の距離を隔てて互いに並行配置される一対の長片部３０，３０と、両長片部３０，３０間に亘るように取り付けられる複数の遮光部３１及び補強部３２と、長片部３０の先端側に設けられる取付部３４と、長片部３０の基端側に設けられる位置決め部３５とを有している。尚、遮光部３１及び補強部３２は、図２（ｂ）に示すルーバー３と同様の構成であるから説明を省略する。
【００３９】
ここで、長片部３０は、上述したように、たとえば金属板等から曲成され、長尺状の側片３０ａと、側片３０ａの先端側の下端縁から互いに近接する方向へ延設された遮光部３１取り付け用の取付片３０ｂとを一体に備えている。取付部３４は、両長片部３０，３０の取付片３０ｂ，３０ｂの先端部から一体に延設された側片部３４ａ，３４ａと側片部３４ａ，３４ａの先端部間を連結する連結部３４ｂと、連結部３４ｂの先端縁から上方に延設され遮蔽板２の側板部２１，２１の長手方向一端側の端面に弾接する略く字状の弾接片３４ｃとを一体に備えている。位置決め部３５は、両長片部３０，３０の側片３０ａ，３０ａの基端部を連結する平板部３５ａと、平板部３５ａの基端縁からルーバー３’の先端側且つ上方へ延設され遮蔽板２の平板部２０の長手方向他端縁に当接して遮蔽板２に係止される爪部３５ｂとを一体に備えている。
【００４０】
以上により構成されたルーバー３’は、次のようにして遮蔽板２に取り付けられる。つまり、ルーバー３’は、基端側に設けた位置決め部３５の爪部３５ｂを、遮蔽板２の平板部２０の長手方向他端側の縁部に引掛けて当接させた状態で、先端側に設けた取付部３４を遮蔽板２側へ押し込んで取付部３４の弾接片３４ｃを遮蔽板２の側板部２１，２１の長手方向一端側の端面に弾接させることで、遮蔽板２に弾性係止されるのである。
【００４１】
このようなルーバー３’では、取付部３４と位置決め部３５とによって、遮蔽板２をその長手方向で弾性狭持することによって、ルーバー３を遮蔽板２に弾性係止することができ、これにより、上記ルーバー３と同様の効果を得ることができる。尚、取付部３４と位置決め部３５の形成位置は、上記の位置に限られるものではなく、ルーバー３’の先端側に位置決め部３５を設け、基端側に取付部３４を設けるようにしても同様の効果を得ることができる。
【図面の簡単な説明】
【００４２】
【図１】本発明の照明器具の説明図である。
【図２】（ａ）は、同上の照明器具の斜視図であり、（ｂ）は、ルーバーの斜視図である。
【図３】（ａ）は、同上の照明器具の斜視図であり、（ｂ）は、同上の照明器具の部分斜視図である。
【図４】ルーバーのその他の例を示す斜視図である。
【図５】従来の照明器具を示す分解斜視図である。
【図６】従来の他の照明器具を示す分解斜視図である。
【符号の説明】
【００４３】
１    器具本体
２    遮蔽板
３    ルーバー
３１ａ  遮光板
３３  取付部
Ｌａ  ランプ
ＢＫ  電子部品ブロック
【図１】
2006269129.tif 000003
【図２】
2006269129.tif 000004
【図３】
2006269129.tif 000005
【図４】
2006269129.tif 000006
【図５】
2006269129.tif 000007
【図６】
2006269129.tif 000008